(57)【特許請求の範囲】
【請求項１】
防水シートの周縁部を前後に挟み込むシート挟持装置において、
建造物の開口部の少なくとも下縁部の一部から側縁部の一部にかけて前記開口部の縁に沿って設けられたシート受け材と、
前記開口部の少なくとも下縁部の一部から側縁部の一部にかけて前記開口部の縁に沿って設けられ、前記シート受け材の前に突き合わせられるシート押え材と、
前記シート押え材を前記シート受け材に固定するとともに、その固定が解除可能な固定具と、
前記シート受け材の前面に突出した状態に設けられ、前記開口部の少なくとも下縁部の一部から側縁部の一部にかけて前記開口部の縁に沿って延在した第一突条と、
前記シート押え材の後面に突出した状態に設けられ、前記開口部の少なくとも下縁部の一部から側縁部の一部にかけて前記開口部の縁に沿って延在した第二突条と、を備え、
前記シート押え材が前記シート受け材の前に突き合わせられた状態において前記シート受け材の前記前面と前記シート押え材の前記後面は互いに対向し、前記開口部の下縁部に沿う部分では前記第一突条と前記第二突条が上下に隣接し、前記開口部の側縁部に沿う部分では前記第一突条と前記第二突条が左右に隣接し、
前記固定具の固定が解除された場合に前記シート押え材が前記シート受け材から接離可能である
ことを特徴とするシート挟持装置。
【請求項２】
請求項１に記載のシート挟持装置であって、
前記第一突条及び前記第二突条の頂面がシリンドリカル凸面状に形成されている
ことを特徴とするシート挟持装置。
【請求項３】
請求項１または２に記載のシート挟持装置と、
前記防水シートと、を備え、
前記シート受け材と前記シート押え材がこれらの間に前記防水シートの周縁部のうち少なくとも下縁部及び左右の縁部を前後に挟み込んで、前記防水シートの周縁部が前記第一突条と前記第二突条の周囲の隙間を縫うようにして設けられる
ことを特徴とする防水装置。
【請求項４】
請求項３に記載の防水装置であって、
前記防水シートの下縁及び左右の縁に設けられ、前記防水シートの厚さ方向に膨出した膨出部を更に備え、
前記膨出部が前記第一突条及び前記第二突条よりも前記開口部の径方向外方に配置される
ことを特徴とする防水装置。
【請求項５】
請求項１または２に記載のシート挟持装置によって挟み込まれる防水面材であって、
前記建造物の前記開口部の少なくとも下部を閉塞する前記防水シートと、
前記防水シートの下縁及び左右の縁に設けられ、前記防水シートの厚さ方向に膨出した膨出部と、を備えており、
前記膨出部は、前記シート挟持装置によって前記防水シートの周縁部が挟まれた場合に、前記防水シートを挟んだ部材の外側に配置される
ことを特徴とする防水面材。
【発明の詳細な説明】
【技術分野】
【０００１】
本発明は、シート挟持装置、防水装置及び防水面材に関し、特に雨水等を開口部で堰き止めて、雨水等の浸入を防止する技術に関する。
【背景技術】
【０００２】
特許文献１〜７には、出入口等の開口部において雨水等を防水シートによって堰き止めて、雨水等の侵入を防止する装置が開示されている。
これらのうち特許文献１〜６に記載の技術では、開口部の前の床面に保管用の凹部が設けられ、防水シートの下縁部が凹部の底と留め具等との間に上下に挟まれており、通常時には防水シートがその凹部に収納される。非常時には、凹部から防水シートを引き上げて、防水シートの左右の縁を治具等によって開口部の側部に止めることによって、防水シートの左右の縁の止水性を実現する。
特許文献７に記載の技術では、開口部の床部分に敷設された横杆の上に防水シートの下縁部を載置した状態で、Ｕ字型に設けられた固定バーの下辺部をその横杆の上に載置することによって防水シートの下縁部を上下に挟み込み、開口部の左右の側部に立設された柱の前に防水シートの左右の縁部を当てた状態で、その固定バーの左辺部及び右辺部を左右の柱の前に突き当てることによって、左右の柱と固定バーの左辺部・右辺部との間に防水シートの左右の縁部を挟み込む。
【先行技術文献】
【特許文献】
【０００３】
【特許文献１】実用新案登録第３１８１３５５号公報
【特許文献２】特許第５４４９９４５号公報
【特許文献３】特許第４５１９４７９号公報
【特許文献４】実公平３−３８２６０号公報
【特許文献５】実公平５−２９２２１号公報
【特許文献６】特開２０１３−３６２０３号公報
【特許文献７】特開２０１３−４０５１８号公報
【発明の概要】
【発明が解決しようとする課題】
【０００４】
特許文献１〜６に記載の技術では、防水シートが床面の凹部に長期間保管されているため、日常的に床面の凹部を点検したり、注意を払って凹部への塵埃及び雨水の侵入を防止したりすることを行わない限り、いざというときに防水シートが泥まみれになっていて防水シートを容易に設置することができない。また、浸水が始まってから防水シートの設置作業をしようとした場合、凹部内の防水シートが水に浸かった状態では防水シートを凹部から引き上げなければならず、防水シートを容易に設置することができない。
特許文献１〜７に記載の技術では、防水シートの下縁部を挟み込む向きと、防水シートの左右の縁部を挟み込む向きが異なるため、開口部に防水シートを面状に張るためには複数回の挟み込み作業が必要となっている。
そこで、本発明が解決しようとする課題は、防水シートの保管場所の制約を無くすことと、防水シートの下縁部と側縁部を一回で挟み込めるようにすることである。
【課題を解決するための手段】
【０００５】
上記課題を解決するための請求項１に係る発明は、例えば図３〜図８に示すように、防水シート２１の周縁部を前後に挟み込むシート挟持装置３０において、建造物１の開口部２の少なくとも下縁部の一部から側縁部の一部にかけて前記開口部２の縁に沿って設けられたシート受け材４０と、前記開口部２の少なくとも下縁部の一部から側縁部の一部にかけて前記開口部２の縁に沿って設けられ、前記シート受け材４０の前に突き合わせられるシート押え材５０と、前記シート押え材５０を前記シート受け材４０に固定するとともに、その固定が解除可能な固定具６５と、前記シート受け材４０の前面に突出した状態に設けられ、前記開口部２の少なくとも下縁部の一部から側縁部の一部にかけて前記開口部２の縁に沿って延在した第一突条７１（７２）と、前記シート押え材５０の後面に突出した状態に設けられ、前記開口部２の少なくとも下縁部の一部から側縁部の一部にかけて前記開口部２の縁に沿って延在した第二突条７３と、を備え、前記シート押え材５０が前記シート受け材４０の前に突き合わせられた状態において前記シート受け材４０の前記前面と前記シート押え材５０の前記後面は互いに対向し、前記開口部２の下縁部に沿う部分では前記第一突条７１（７２）と前記第二突条７３が上下に隣接し、前記開口部２の側縁部に沿う部分では前記第一突条７１（７２）と前記第二突条７３が左右に隣接し、前記固定具６５の固定が解除された場合に前記シート押え材５０が前記シート受け材４０から接離可能であることを特徴とするシート挟持装置３０である。
【０００６】
請求項１に係る発明によれば、シート受け材４０およびシート押え材５０が開口部２の下縁部の一部から側縁部の一部にかけてその開口部２の縁に沿って設けられているので、防水シート２１を張って防水シート２１の周縁部をシート受け材４０の前に配置した状態で、シート押え材５０をシート受け材４０の前に突き合わせてシート押え材５０をシート受け材４０に押し当てることによって、防水シート２１の下縁部及び側縁部をいっぺんにシート押え材５０とシート受け材４０の間に挟み込むことができる。面状の防水シート２１の下縁部と側縁部をその面に垂直な方向に押さえるので、防水シート２１によって早く確実に止水面を形成することができる。
また、固定具の固定を解除して、シート押え材をシート受け材から離した場合、防水シートを取り外すことができる。そのため、防水シートの保管場所の制約が無くなり、防水シートを保管庫等に保管することによって防水シートの汚れ・水濡れを防止することができる。よって、非常時に防水シートをシート挟持装置に挟み込むに際して、防水シートの設置を容易に行える。
また、シート押え材５０をシート受け材４０の前に突き合わせると、防水シート２１の周縁部を第一突条７１（７２）と第二突条７３の周囲の隙間を縫うようにして設けることができる。よって、防水シート２１によって堰き止められる水の水圧が増えても、防水シート２１の周縁部がシート押え材５０とシート受け材４０の間から抜けることを抑えることができる。
【０００７】
請求項２に係る発明は、例えば図４に示すように、請求項１に記載のシート挟持装置３０であって、前記第一突条７１（７２）及び前記第二突条７３の頂面がシリンドリカル凸面状に形成されていることを特徴とするシート挟持装置３０である。
【０００８】
請求項２に係る発明によれば、第一突条７１（７２）と第二突条７３の周囲の隙間を縫うようにして設けられた防水シート２１の周縁部が第一突条７１（７２）及び第二突条７３によって損傷することを防止することができる。
【０００９】
請求項３に係る発明は、請求項１または２に記載のシート挟持装置３０と、前記防水シート２１と、を備え、前記シート受け材４０と前記シート押え材５０がこれらの間に前記防水シート２１の周縁部のうち少なくとも下縁部及び左右の縁部を前後に挟み込んで、前記防水シート２１の周縁部がこれら前記第一突条７１（７２）と前記第二突条７３の周囲の隙間を縫うようにして設けられることを特徴とする防水装置１０である。
【００１０】
請求項３に係る発明によれば、防水シート２１によって堰き止められる水の水圧が増えても、防水シート２１の周縁部がシート押え材５０とシート受け材４０の間から抜けることを抑えることができる。
【００１１】
請求項４に係る発明は、請求項３に記載の防水装置１０であって、前記防水シート２１の下縁及び左右の縁に設けられ、前記防水シート２１の厚さ方向に膨出した膨出部２９を更に備え、前記膨出部２９が前記第一突条７１（７２）及び前記第二突条７３よりも前記開口部２の径方向外方に配置されることを特徴とする防水装置１０である。
【００１２】
請求項４に係る発明によれば、膨出部２９が第一突条７１（７２）又は第二突条７３に引っ掛かるので、防水シート２１の周縁部がシート押え材５０とシート受け材４０の間から抜けることを抑えることができる。
【００１３】
請求項５に係る発明は、例えば図３に示すように、請求項１または２に記載のシート挟持装置によって挟み込まれる防水面材であって、前記建造物１の前記開口部２の少なくとも下部を閉塞する防水シート２１と、前記防水シート２１の下縁及び左右の縁に設けられ、前記防水シート２１の厚さ方向に膨出した膨出部２９と、を備えており、前記膨出部２９は、前記シート挟持装置３０によって前記防水シート２１の周縁部が挟まれた場合に、前記防水シート２１を挟んだ部材の外側に配置されることを特徴とする防水面材２０である。
【００１４】
請求項５に係る発明によれば、防水シート２１の周縁部が挟まれた場合、防水シート２１を挟んだ部材の外側に膨出部２９が配置されていれば、膨出部２９が抵抗となって、防水シート２１を挟んだ部材から防水シート２１の周縁部が抜けることを抑えることができる。
【発明の効果】
【００１５】
本発明によれば、防水シートの下縁部及び側縁部をいっぺんにシート押え材とシート受け材の間に挟み込むことができ、防水シートによって止水面を早く確実に形成することができる。また、防水シートをシート挟持装置から取り外すことによって、防水シートの保管場所の制約が無い。
また、シート押え材をシート受け材の前に突き合わせると、防水シートの周縁部を第一突条と第二突条の周囲の隙間を縫うようにして設けることができる。よって、防水シートによって堰き止められる水の水圧が増えても、防水シートの周縁部がシート押え材とシート受け材の間から抜けることを抑えることができる。
【図面の簡単な説明】
【００１６】
【図１】組み立てられた防水装置の斜視図である。
【図２】同防水装置に備わるシート挟持装置の斜視図である。
【図３】同防水装置に備わる防水面材の斜視図である。
【図４】同防水装置の水平断面図である。
【図５】同防水装置の鉛直断面図である。
【図６】同防水装置の組立の一工程を示した斜視図である。
【図７】同防水装置の組立の一工程を示した斜視図である。
【図８】同防水装置の組立の一工程を示した斜視図である。
【図９】変形例２に係る防水装置の斜視図である。
【図１０】変形例２に係る防水装置の鉛直断面図である。
【図１１】変形例３に係る防水装置の斜視図である。
【図１２】変形例３に係る防水装置の鉛直断面図である。
【図１３】変形例４に係るシート挟持装置の斜視図である。
【図１４】変形例５に係るシート挟持装置の斜視図である。
【図１５】変形例６に係るシート挟持装置の斜視図である。
【図１６】変形例７に係るシート挟持装置の斜視図である。
【図１７】変形例８に係るシート挟持装置の斜視図である。
【図１８】変形例９に係るシート挟持装置の斜視図である。
【発明を実施するための形態】
【００１７】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００１８】
図１は、建造物１の開口部２に設けられた防水装置１０を示した斜視図である。図２は、この防水装置１０のシート挟持装置３０の斜視図である。図３は、この防水装置１０の防水面材２０の正面図である。図４は、防水装置１０の水平断面図である。図５は、防水装置１０の中心線に沿った鉛直面の断面図である。図６〜図８は、防水装置１０の組立工程図である。
【００１９】
建造物１は、例えば建物（例えば、住宅、集合住宅、ビルディング、駅舎その他の建築物）の躯体（特に外壁であり、より具体的には一階又は地階の外壁）、塀、門柱、通路の側壁、地下出入口構造物等である。ここで、地下出入口構造物とは、地下施設（例えば、地下鉄の駅構内、地下通路、地下街、地下室、地下駐車場等）から地上への階段又は通路における地上の出入口を囲う構造物をいう。
【００２０】
開口部２の縁に沿った面が鉛直となっており、開口部２が底面５及びその左右の側部３，４によって囲われている。開口部２の上側が開放されているか、開口部２の上側が上部によって囲われている。開口部２の側部３，４は例えば外壁又は垂直材（例えば、支柱、門柱、柱、縦枠）である。
【００２１】
この開口部２には、開口部２を開閉する開閉体（例えば扉、門扉、開き戸、引違い戸、引き戸、折り戸、はね上げ門扉、鎧戸（シャッター）、自動ドア、引違い窓、掃き出し窓、地窓）が設けられていてもよいし、そのような開閉体が設けられていなくてもよい。なお、開閉体が開き戸である場合、開閉材が防水シート２１よりも室内側に位置するので、浸水時でも開閉材を開閉できるように、開閉材が内開き戸であることが好ましい。
【００２２】
防水装置１０は、防水面材２０と、防水面材２０を張った状態で且つその防水面材２０を立てた状態に固定するシート挟持装置３０と、防水面材２０の中央部を吊った状態で支持する間柱９０と、を備える。なお、開口部２の左右長が短い場合には、間柱９０が省略されてもよい。開口部２の左右長が長い場合、間柱９０の数が複数であり、これら間柱９０が間隔をおいて左右に配列されてもよい。
【００２３】
図１に示すように、豪雨等の非常時において、防水面材２０及び間柱９０がシート挟持装置３０に組み付けられて、その防水面材２０がシート挟持装置３０によって固定され、開口部２の下部が防水面材２０によって塞がれる。なお、防水面材２０、シート挟持装置３０及び間柱９０の上下長を開口部２の側部３，４の上下長以上として、開口部２の全体が防水面材２０によって塞がれてもよい。
【００２４】
図２に示すように、浸水の虞のない通常時において、防水面材２０及び間柱９０がシート挟持装置３０から取り外される。そして、その防水面材２０及び間柱９０は所定の場所（例えば、開口部２の近くの保管庫）に保管される。
【００２５】
図３に示すように、防水面材２０は、防水シート２１、支持竿２２、留め具２３，２４，２８、膨出部２９、目印２６及び複数の摘み部２７，２７…を備える。
支持竿２２はステンレス製の丸棒である。
【００２６】
防水シート２１は長方形状又は正方形状に形作られている。防水シート２１が遮水性を有し、水が防水シート２１を通過しない。防水シート２１が可撓性を有し、防水シート２１を丸めたり、曲げたり、折り畳んだりすることができる。
【００２７】
防水シート２１の上の縁部が折り返されて接合（例えば、折り返し縫い）されることによって、その縁部が筒状に設けられている。そして、支持竿２２がその筒状部分に挿入され、支持竿２２の両端部がその筒状部分の両端から突き出ており、留め具２３，２４が支持竿２２の両端部の周面に設けられている。また、その筒状部分の中央部が切り欠かれており、支持竿２２の中央部がその切り欠かれた部位で露出し、留め具２８がその支持竿２２の中央部に設けられている。
【００２８】
留め具２３，２４はそれぞれ支持竿２２の左端及び右端の周面から径方向に延出した板状の片であり、留め具２３，２４には通し孔２３ａ，２４ａがそれぞれ形成されている。留め具２３，２４は支持竿２２に固定されている。
【００２９】
留め具２８が板状の片であり、留め具２８の端部に筒状部２８ｂが設けられ、支持竿２２がその筒状部２８ｂに挿入されている。そのため、留め具２８のラジアル荷重が支持竿２２に支持され、支持竿２２に対する留め具２８の周方向の動き及び軸方向の動きは自由となっている。留め具２８には、引掛穴２８ａが形成されている。なお、留め具２８の数は間柱９０の数に等しく、間柱９０を省略した場合には留め具２８が設けられていない。
【００３０】
防水シート２１の左縁、下縁及び右縁には、防水シート２１の厚み方向に膨出した膨出部２９が形成されている。この膨出部２９は、防水シート２１の左上の角部から左縁、下縁及び右縁を経由して防水シート２１の右上の角部までこれら左縁、下縁及び右縁に沿って一繋がりに延びているとともに、防水シート２１に対して正対して見るとＵ字型（コ字型）に形作られている。膨出部２９が防水シート２１の厚み方向に膨出するので、膨出部２９が防水シート２１の他の部位よりも厚く設けられている。ここで、膨出部２９のうち防水シート２１の左の縁部に沿った部位２９ａを左膨出部２９ａといい、右の縁部に沿った部位２９ｂを右膨出部２９ｂといい、下の縁部に沿った部位２９ｃを下膨出部２９ｃという。膨出部２９には、芯材（例えば、可撓性の樹脂製芯材又は可撓性の金属ワイヤー）が埋め込まれていることが好ましい。
【００３１】
膨出部２９は例えば次のようにして作成される。すなわち、防水シート２１の左縁部、下縁部及び右縁部によって芯材（例えば、直径３〜４ｍｍ）を巻くようにして防水シート２１の左縁部、下縁部及び右縁部を折り返し、その折り返し部の重なり合った部分を接合する。
【００３２】
摘み部２７，２７…は防水シート２１の左右の縁に設けられている。摘み部２７，２７…は例えば可撓性の樹脂片、ワイヤー、紐、ゴム片又はタグ等である。
目印２６は防水シート２１の表面に印刷されたものである。この目印２６は、防水シート２１の左右及び下の縁よりも内側において防水シート２１の周縁と平行になった線である。目印２６と防水シート２１の周縁との間の間隔は後述の突条７１と突条７２の間隔よりもやや広い。
【００３３】
図２、図４、図５及び図７等に示すように、シート挟持装置３０はシート受け材４０、シート押え材５０、ヒンジ６０、締結具（固定具）６５，６５…、突条７１，７２，７３及び引掛部８１，８２を備える。
【００３４】
シート受け材４０は、Ｕ字型に一繋がりに設けられたステンレス製角パイプである。具体的には、シート受け材４０が左右の縦受け部４１，４２及び横受け部４３を有し、縦受け部４１，４２が互いに平行となって上下に延び、横受け部４３が左右に延び、縦受け部４１，４２の下端が横受け部４３の左端と右端にそれぞれ連結されている。従って、縦受け部４１と横受け部４３がこれらの間に直角な角部４５を形成し、縦受け部４２と横受け部４３がこれらの間に直角な角部４６を形成する。
【００３５】
シート受け材４０が開口部２の縁に沿って設けられている。縦受け部４１が開口部２の左縁に沿って設けられ、縦受け部４２が開口部２の右縁に沿って設けられ、横受け部４３が開口部２の下縁に沿って設けられている。具体的には、縦受け部４１，４２が側部３，４の屋外側の面にそれぞれ取り付けられ、その縦受け部４１，４２が開口部２の左右の縁にそれぞれ沿っている。横受け部４３については、開口部２の底面５の屋外側の箇所に凹部６が形成され、その底面５と凹部６の底７とを結ぶ立壁面８が側部３，４の屋外側の面と面一になっており、横受け部４３が凹部６に納まった状態でその立壁面８に取り付けられ、その横受け部４３が開口部２の下縁に沿っている。なお、凹部６の底７には、一又は複数の水抜き穴が設けられている。
【００３６】
シート押え材５０は、Ｕ字型に一繋がりに設けられたステンレス製角パイプである。シート押え材５０が左右の縦押え部５１，５２及び横押え部５３を有し、縦押え部５１，５２が互いに平行となって上下に延び、横押え部５３が左右に延び、縦押え部５１，５２の下端が横押え部５３の左端と右端にそれぞれ連結されている。従って、縦押え部５１と横押え部５３がこれらの間に直角な角部５５を形成し、縦押え部５２と横押え部５３がこれらの間に直角な角部５６を形成する。
【００３７】
シート押え材５０の後面がシート受け材４０の前面に突き合わせられ、締結具６５，６５…によってシート押え材５０がシート受け材４０に締結されて固定されている。具体的には、縦押え部５１，５２の後面が縦受け部４１，４２の前面にそれぞれ突き合わせられ、横押え部５３の後面が横受け部４３の前面に突き合わせられ、ボルトである締結具６５，６５…が縦押え部５１，５２に前から後ろへ通されて縦受け部４１，４２にねじ締めされている。これら締結具６５，６５…は間隔をおいて上下に配列されている。
【００３８】
なお、締結具としてのボルトが横押え部５３の前から後ろへ横押え部５３に通されて横受け部４３にねじ締めされてもよい。また、締結具６５，６５…がボルトではなく、シート受け材４０及びシート押え材５０に対してワンタッチで取り外し・取り付け可能な締結具（例えば、クリップ、爪、フック、鋲、ゴム、バネ）でもよい。
【００３９】
締結具６５，６５…の締結は解除可能である。締結具６５，６５…の締結が解除されると、シート押え材５０がシート受け材４０に対して接離可能となる。具体的には、シート押え材５０がその下端を回転軸として前後に傾動可能に設けられ、シート押え材５０が傾動動作によってシート受け材４０に対して前後に接離する。つまり、シート押え材５０が前に（屋外側へ）倒伏すると、シート押え材５０がシート受け材４０から離れ、シート押え材５０が後ろに（室内側へ）起立すると、シート押え材５０がシート受け材４０に突き合わせられる。ここで、シート押え材５０の横押え部５３がヒンジ６０によって凹部６の底７に連結され、そのヒンジ６０の軸が左右に延在する。なお、横押え部５３がヒンジ６０によって凹部６の底７に連結されることに代えて、横押え部５３がヒンジ６０によってシート受け材４０の横受け部４３に連結されることとしてもよい。
【００４０】
シート押え材５０の可動範囲が０°を超え、９０°以下に制限されることが好ましい。例えば、シート押え材５０がシート受け材４０に突き当てられた状態から最も前に倒れた状態までの回転角が所定角度（例えば、４５°）に制限される。その所定角度が小さいほど、シート押え材５０を倒伏・起立させる際のシート押え材５０の移動距離を短くすることができる。但し、その所定角度は、シート押え材５０が最も前に倒れた状態において、防水シート２１の下縁部を横受け部４３と横押え部５３との間に挿入できる程度の角度とする。
【００４１】
シート押え材５０の可動範囲は例えば次の（ａ）〜（ｃ）のようにして制限される。
（ａ）  立壁面８の反対側の立壁面９（図５参照）がストッパとして機能する。つまり、シート押え材５０が最も前に倒れた状態では、シート押え材５０が立壁面９の上端に当接して、シート押え材５０の荷重が立壁面９の上端に受けられる。
（ｂ）  ヒンジ６０によってシート押え材５０の可動範囲が制限される。つまり、ヒンジ６０の開閉角が定まっており、シート押え材５０が最も前に倒れた状態ではヒンジ６０がそれ以上動かず、シート押え材５０の荷重がヒンジ６０に受けられて、ヒンジ６０がストッパとして機能する。
（ｃ）  可撓性線材（例えば、紐、ワイヤー、チェーン）がシート押え材５０とシート受け材４０（又は側部３，４）との間に連結され、シート押え材５０が最も前に倒れた状態では可撓性線材が張ることによって、シート押え材５０がそれ以上前に倒れない。
【００４２】
シート受け材４０の前面には、突条７１，７２が突出した状態に設けられている。突条７１がシート受け材４０の前面の内縁に沿ってＵ字型に形作られている。突条７２が、突条７１からシート受け材４０の前面の外縁側へ離れて、突条７２と平行となるようにＵ字型に形作られている。突条７１，７２は、Ｕ字型に曲げられたステンレス製の硬質な丸棒をシート受け材４０の前面に溶接することによって得られたものである。そのため、突条７１，７２の頂面がシリンドリカル凸面状に形成されている。ここで、突条７１，７２のうち縦受け部４１の前面において縦方向に延びた部位７１ａ，７２ａを縦突条７１ａ，７２ａといい、縦受け部４２の前面において縦方向に延びた部位７１ｂ，７２ｂを縦突条７１ｂ，７２ｂといい、横受け部４３の前面において横方向に延びた部位７１ｃ，７２ｃを横突条７１ｃ，７２ｃという。
【００４３】
シート押え材５０の後面には、突条７３が突出した状態に設けられている。突条７３がシート押え材５０のＵ字型に沿って設けられている。突条７３は、Ｕ字型に曲げられたステンレス製の硬質な丸棒をシート押え材５０の後面に溶接することによって得られたものである。突条７３の頂面がシリンドリカル凸面状に形成されている。ここで、突条７３のうち縦押え部５１の後面において縦方向に延びた部位７３ａを縦突条７３ａといい、縦押え部５２の後面において縦方向に延びた部位７３ｂを縦突条７３ｂといい、横押え部５３の後面において横方向に延びた部位７３ｃを横突条７３ｃという。
【００４４】
突条７３の幅が突条７１から突条７２までの間隔に等しい。そして、シート押え材５０の後面がシート受け材４０の前面に突き合わせられた場合に、前から向かって投影視して、突条７３が突条７１と突条７２の間の隙間に重なっている。突条７３が突条７１と突条７２の間の隙間に嵌まって、突条７３が突条７１，７２に櫛歯状に噛み合う。従って、突条７３が突条７１の外縁側に隣接し、突条７２が突条７３の外縁側に隣接する。
突条７１〜７３がステンレス鋼のように硬質な材料からなるので、突条７１〜７３の経年劣化を抑えることができる。
【００４５】
なお、２本の突条７１，７２がシート受け材４０の後面に設けられているが、シート受け材４０の前面に設けられる突条の数は３本以上でもよいし、１本でもよい。シート押え材５０の後面に設けられる突条の数は２本以上でもよい。また、突条７１〜７３がゴム弾性体からなるものでもよい。
【００４６】
引掛部８１が縦受け部４１の前面の上部に突出した状態に設けられ、引掛部８２が縦受け部４２の前面の上部に突出した状態に設けられている。縦押え部５１，５２の後面の上部には穴が形成されており、シート押え材５０の後面がシート受け材４０の前面に突き合わせられた場合、引掛部８１，８２がその穴に挿入される。
【００４７】
シート受け材４０の横受け部４３の上面には、間柱９０の下端を支持するとともに間柱９０を立てた状態に保持する支持部（例えば、挿入穴）４３ｚが設けられている（図７参照）。間柱９０の下端がこの支持部４３ｚに対して着脱可能である。
【００４８】
必要に応じて、横桟材を取り付け可能なように、横桟材支持用の支持部が横受け部４１，４２及び間柱９０に設けられてもよい。
【００４９】
図５に示すように、間柱９０の上端面には、係合凸部９１が設けられている。係合凸部９１の周面の上端には、径方向外方に突出したフランジ９２が設けられている。間柱９０の後面の上端には、前へ突出して上へ湾曲した板状のフック９３が設けられている。
【００５０】
続いて、防水装置１０の使用方法について説明する。
【００５１】
（Ａ）通常時における防水装置１０の状態  図２に示すように、間柱９０がシート受け材４０の横受け部４３から外されているとともに、防水面材２０がシート挟持装置３０から外されている。防水面材２０の防水シート２１が支持竿２２に巻かれており、その状態で防水面材２０が開口部２の近くの保管庫等に保管されている。
【００５２】
シート押え材５０が起立した状態にある。そして、シート押え材５０の後面がシート受け材４０の前面に突き合わせられ、締結具６５，６５…によってシート押え材５０がシート受け材４０に締結されている。突条７３が突条７１と突条７２の間の隙間に嵌まっている。
凹部６の上に板状の蓋９９が被せられ、凹部６が蓋９９によって閉塞されている。
【００５３】
（Ｂ）非常時における防水面材２０の設置方法
防水面材２０及び間柱９０を準備する。
次に、図６に示すように、蓋９９を外して、凹部６を露出させる。
次に、締結具６５，６５…を外して、締結具６５，６５…によるシート受け材４０とシート押え材５０の締結を解除する。
次に、図７に示すように、シート押え材５０を前に傾動させて、シート押え材５０を倒伏させる。こうすることによって、シート押え材５０の後面をシート受け材４０の前面から離すとともに、突条７１と突条７２の間の隙間から突条７３を外す。また、間柱９０の下端を支持部４３ｚに装着して、支持部４３ｚによって間柱９０を立てた状態に保持する。必要に応じて、一又は複数の横桟材を縦受け部４１と縦受け部４２との間に架け渡したり、一又は複数の横桟材を縦受け部４１と間柱９０との間に架け渡したり、一又は複数の横桟材を縦受け部４２と間柱９０との間に架け渡したりする。
【００５４】
次に、図８に示すように、留め具２３，２４の通し孔２３ａ，２４ａに引掛部８１，８２をそれぞれ挿入して、留め具２３，２４を引掛部８１，８２にそれぞれ引っ掛ける。これにより、支持竿２２を縦受け部４１の上部と縦受け部４２の上部との間に架け渡す。また、留め具２８の引掛穴２８ａにフランジ９２及び係合凸部９１に通して、留め具２８を間柱９０の上端面に載置するとともに、留め具２８の筒状部２８ｂをフック９３の上に引っ掛ける。こうすると、支持竿２２の中央部が間柱９０に支持され、支持竿２２の自重による撓みを抑えることができる。
【００５５】
また、防水シート２１をシート受け材４０の前に垂らして、防水シート２１を支持竿２２から吊り下げた状態にする。そして、防水シート２１の下縁部を下に引っ張り、更に摘み部２７，２７…を摘んで防水シート２１を左右に引っ張り、突条７１，７２の縦突条７１ａ，７２ａの前に防水シート２１の左縁部を被せ、縦突条７１ｂ，７２ｂを前に防水シート２１の右縁部を被せ、横突条７１ｃ，７２ｃの前に防水シート２１の下縁部を被せる。防水シート２１を張ることによって目印２６を突条７１に近づかせることによって、膨出部２９の位置が突条７２よりも外側になる。こうして、膨出部２９を突条７２から外側へはみ出た状態にして、左膨出部２９ａを縦突条７２ａの左側に配置し、右膨出部２９ｂを縦突条７２ｂの右側に配置し、下膨出部２９ｃを横突条７２ｃの下側に配置する。防水シート２１を張った状態で摘み部２７，２７…を縦受け部４１，４２又は側部３，４に固定することによって、防水シート２１を張った状態に保てるため、摘み部２７，２７…固定用の部材を縦受け部４１，４２又は側部３，４に設けることが好ましい。
【００５６】
次に、シート押え材５０を後ろに傾動させて、シート押え材５０を立てる。こうすることによって、シート押え材５０の後面とシート受け材４０の前面との間に防水シート２１の周縁部を挟み込んで、シート押え材５０の後面をシート受け材４０の前面に突き合わせる。また、シート押え材５０の後面とシート受け材４０の前面の突き合わせによって突条７１と突条７２の間の隙間に突条７３を嵌めて、防水シート２１の周縁部がこれら突条７１〜７３の隙間を縫うようにして突条７１〜７３の噛み合いに巻き込まれる。また、留め具２３が縦受け部４１の上端部と縦押え部５１の上端部との間に挟まれ、留め具２４が縦受け部４２の上端部と縦押え部５２の上端部との間に挟まれる。
【００５７】
次に、図１に示すように、締結具６５，６５…によってシート押え材５０をシート受け材４０に締結して、防水装置１０の組立が完了する。このような締結によって、防水シート２１の周縁部を挟み込む荷重が増大し、防水シート２１の周縁部がシート押え材５０の後面とシート受け材４０の前面との間から抜け難くなる。
【００５８】
（Ｃ）非常時から通常時に復帰したときにおける防水装置１０の解体方法
締結具６５，６５…を外して、締結具６５，６５…によるシート受け材４０とシート押え材５０の締結を解除する。
次に、シート押え材５０を前に傾動させて、シート押え材５０を倒伏させる。
次に、留め具２３，２４を引掛部８１，８２から外し、留め具２８を係合凸部９１から外し、支持竿２２を間柱９０及び縦受け部４１，４２から離す。そして、防水シート２１を支持竿２２に巻回することで棒状にする。また、横桟材を縦受け部４１，４２及び間柱９０から外すとともに、間柱９０を横受け部４３から外す。
次に、シート押え材５０を後ろに傾動させて、シート押え材５０の後面をシート受け材４０の前面に突き合わせる。そして、締結具６５，６５…によってシート押え材５０をシート受け材４０に締結する。
次に、凹部６の上に蓋９９を被せて、凹部６を蓋９９によって塞ぐ。
【００５９】
以上の防水装置１０は次のような効果をもたらす。
（１）  防水面材２０の防水シート２１をシート挟持装置３０に対して取り付け・取り外し可能であるので、非常時には防水シート２１によって開口部２の下部を塞いで、防水することができる。通常時には防水シート２１の取り外しによって開口部２を開いて、開口部２の通行、通気又は採光等を行うことができる。
【００６０】
（２）  防水装置１０の組立が完了した状態で開口部２の屋外側が浸水すると、その水が防水シート２１によって堰き止められ、その水が開口部２を通じて侵入することが防止される。浸水量が増えると、その水圧も増加し、防水シート２１の張力も増加する。間柱９０若しくは横桟材又はこれらの両方によって水圧が受けられ、防水シート２１が開口部２の屋内側へ膨張することを抑えることができる。防水シート２１の上縁部が支持竿２２によって支えられているため、防水シート２１の上縁部が水圧によって下に引かれる引張りに対して抗し得る。
【００６１】
（３）  防水シート２１の周縁部がこれら突条７１〜７３の隙間を縫うようにして突条７１〜７３の噛み合いに巻き込まれているので、防水シート２１の周縁部の滑りを防止することができる。よって、防水シート２１に作用する水圧が大きくなっても、防水シート２１の周縁部がシート受け材４０とシート押え材５０との間から抜け難い。特に、防水シート２１の左右及び下の縁部に形成された膨出部２９が突条７２に引っ掛かって、防水シート２１の周縁部がシート受け材４０とシート押え材５０との間から抜け難い。
【００６２】
（４）  縦受け部４１，４２が横受け部４３の端から上へ続いており、縦押え部５１，５２が横押え部５３の端から上へ続いているため、防水シート２１の左下及び右下の角部を挟み込むことによって、防水シート２１の左下及び右下の角部の止水を簡単に実現することができる。特に、突条７１，７２，７３も角部において途切れていないので、防水シート２１の左下及び右下の角部の止水を簡単に実現することができる。
【００６３】
（５）  防水面材２０をシート挟持装置３０から取り外すことによって、防水面材２０の保管場所の制約がなくなる。仮に防水面材２０を凹部６内にしか保管できないものとしたら、土砂や雨水等が凹部６内に侵入して、防水面材２０が汚れてしまう。しかし、この防水面材２０の保管場所の制約がないので、防水面材２０の汚れを抑えることができる。
【００６４】
（６）  防水装置１０の組立作業が簡単である。特に、防水シート２１の周縁部の止水する作業が簡単である。つまり、シート押え材５０の後面をシート受け材４０の前面に突き合わせることによって防水シート２１の左縁部、下縁部及び右縁部をこれら部材４０，５０の間に挟み込み、シート押え材５０をシート受け材４０に締結するという簡単な作業で、防水シート２１の左縁部、下縁部及び右縁部を一度に止水することができる。その上、シート押え材５０がその下端を軸として前後に傾動可能に設けられているため、シート押え材５０を起こし上げるという簡単な作業で、シート押え材５０の後面をシート受け材４０の前面に簡単に突き合わせることができる。また、シート押え材５０をシート受け材４０に突き合わせる時に、これら部材４０，５０の位置ずれも起きず、突条７３を突条７１と突条７２の間の隙間に簡単に嵌め込むことができる。
【００６５】
（７）  突条７１〜７３の頂面がシリンドリカル凸面状に形成されているので、防水シート２１の周縁部がこれら突条７１〜７３の隙間を縫うようにして突条７１〜７３の噛み合いに巻き込まれても、防水シート２１の周縁部の損傷を抑えることができる。
【００６６】
（８）  縦受け部４１，４２、引掛部８１，８２、支持竿２２及び留め具２３，２４を利用して、防水シート２１を支持竿２２から吊り下げて、防水シート２１を広げることができる（図８参照）。防水シート２１が吊り下げられているため、防水シート２１を広げた状態を保つことができ、防水シート２１の左縁部、下縁部及び右縁部をシート押え材５０とシート受け材４０の間に挟み込む作業を簡単に行える。
【００６７】
（９）  防水シート２１が支持竿２２に予め取り付けられているため、防水装置１０の組立作業が簡単である。
【００６８】
（１０）  防水シート２１の保管及び運搬の際に、支持竿２２を利用することができる。つまり、防水シート２１を支持竿２２の回りに巻くことによって、防水シート２１をコンパクトな棒状にする作業も簡単に行えるとともに、支持竿２２を持って防水シート２１を持ち運ぶことができる。また、防水シート２１が重かったり、大きなサイズであったりする場合には、防水シート２１を複数人で持ち運ぶ際にも支持竿２２を利用することができ、都合が良い。
【００６９】
（１１）  シート押え材５０がヒンジ６０によって凹部６の底７に連結されているため、シート押え材５０の盗難等を防止することができる。
【００７０】
〔変形例〕
上記実施形態の変形例について説明する。変形例については、上述のように構成された防水装置１０から変更した点の説明をする。変更点以外は上述の防水装置１０の構成と同様であるので、変更点以外の説明を省略する。また、次の各変形例に挙げる変更箇所を可能な限り組み合わせて適用してもよい。
【００７１】
〔変形例１〕
ヒンジ６０を省略し、シート押え材５０が凹部６の底７に連結されていない。そうすれば、締結具６５，６５…の締結を解除して、シート押え材５０をシート受け材４０から離してシート押え材５０を様々な場所に持ち運んだり、保管したりすることができる。
【００７２】
〔変形例２〕
上述の実施の形態では、開口部２がバリアフリータイプであった。つまり、開口部２の底面５と、開口部２よりも屋内側の床と、開口部２よりも屋外側の床又は地面（蓋９９も含む）とが面一であった。
【００７３】
それに対して、変形例２では、図９及び図１０に示すように開口部２を框タイプとする。つまり、開口部２よりも屋外側の床１０５（又は地面１０５。以下同じ。）が開口部２の底面５よりも低く設けられ、床１０５と底面５の間に段差がある。床１０５には、凹部６に相当するものが設けられていない。そして、底面５と床１０５とを結ぶ立壁面１０８が側部３，４の屋外側の面と面一になっており、シート受け材４０の横受け部４３がその立壁面１０８に取り付けられている。シート押え材５０の横押え部５３はヒンジ６０によって床１０５に連結されているか、横受け部４３に連結されている。開口部２よりも屋内側の床１１５は、開口部２の底面５と面一になっているか、又はその底面５よりも低く設けられている。
なお、床１０５に凹部６が形成され、上記実施形態の場合と同様に、横受け部４３及び横押え部５３が凹部６内に設けられてもよい。
【００７４】
〔変形例３〕
図１１及び図１２に示すように、開口部２が壁１１０に設けられ、開口部２の底面５が壁１１０の下端よりも上に位置する。開口部２よりも屋外側の床１０５が開口部２の底面５よりも低く設けられ、床１０５と底面５の間に段差がある。開口部２よりも屋内側の床１１５が底面５よりも低く設けられ、床１１５と底面５の間に段差がある。床１０５には、凹部６に相当するものが設けられていない。そして、シート受け材４０の横受け部４３が開口部２の下縁に沿って壁１１０に取り付けられている。シート押え材５０の横押え部５３はヒンジによって横受け部４３に連結されている。
【００７５】
〔変形例４〕
図１３に示すように、シート押え材５０が左右に分割されている。つまり、横押え部５３がその中央部において二つに分割されており、その横押え部５３が横押え部分割体５３ａ，５３ｂからなる。横押え部分割体５３ａが縦押え部５１の下端から反対側の縦押え部５２の下端に向けて延出し、横押え部分割体５３ａ及び縦押え部５１によってＬ字型が形作られている。横押え部分割体５３ｂが縦押え部５２の下端から反対側の縦押え部５１の下端に向けて延出し、横押え部分割体５３ｂ及び縦押え部５２によってＬ字型が形作られている。突条７３の横突条７３ｃも、横押え部分割体５３ａに設けられた部位と、横押え部分割体５３ｂに設けられた部位とに分割されている。
【００７６】
シート押え材５０が二つに分割されているので、左側のＬ字型分割体と右側のＬ字型分割体を別々に傾動させることができる。そのため、開口部２の左右幅が広くて、シート押え材５０の左右長が長い場合でも、防水シート２１の周縁部をシート押え材５０とシート受け材４０との間に挟持することができる。
【００７７】
なお、シート押え材５０の左右のＬ字型分割体の傾動角が揃っている場合、横押え部分割体５３ａの右端部と横押え部分割体５３ｂの左端部がスカーフ継手又は段付き重ね合わせ継手（相じゃくり継手）のように重ね合ってもよい。
【００７８】
〔変形例５〕
変形例４の場合と同様に、図１４に示すようにシート押え材５０が左右に分割されている。その上で、左側のＬ字型分割体と右側のＬ字型分割体は観音開き式となっている。つまり、縦押え部５１がヒンジによって縦受け部４１又は側部３に連結され、縦押え部５２がヒンジによって縦受け部４２又は側部４に連結され、それらヒンジの軸が上下に延在する。従って、左側のＬ字型分割体がその左端を軸として前後に傾動可能であり、右側のＬ字型分割体がその右端を軸として前後に傾動可能である。
【００７９】
なお、凹部６を手前側（屋外側）に広げて、横押え部分割体５３ａ，５３ｂの軌跡が凹部６内に収まるようにする。或いは、変形例５は変形例２（但し、床１０５に凹部６が形成されていない例）又は変形例３と合わせて適用する。
【００８０】
〔変形例６〕
上述の実施の形態では、シート受け材４０及びシート押え材５０がＵ字型であった。
それに対して、変形例６では、図１５に示すように、シート受け材４０及びシート押え材５０が矩形枠状である。つまり、シート受け材４０が縦受け部４１，４２及び横受け部４３に加えて、上側の横受け部４４を有し、シート押え材５０が縦押え部５１，５２及び横押え部５３に加えて、上側の横押え部５４を有する。横受け部４４と横受け部４３が互いに平行に設けられ、横受け部４４の左端が縦受け部４１の上端に連結され、横受け部４４の右端が縦受け部４２の上端に連結されている。横押え部５４と横押え部５３が互いに平行に設けられ、横押え部５４の左端が縦押え部５１の上端に連結され、横押え部５４の右端が縦押え部５２の上端に連結されている。
【００８１】
突条７１〜７３も同様に矩形枠状に設けられている。従って、突条７１のうち横受け部４４の前面において横方向に延びた部位の左端が縦突条７１ａの上端に繋がり、その部位の右端が縦突条７１ｂの上端に繋がる。突条７２，７３についても同様である。
【００８２】
この場合、開口部２の上側が開放されておらず、開口部２の上側が上部によって囲われている。そして、シート受け材４０の横受け部４４は開口部２の上部の屋外側の面に取り付けられている。
【００８３】
防水シート２１をシート受け材４０とシート押え材５０との間に挟んだ状態では、防水シート２１の上縁部が横受け部４４と横押え部５４との間に挟まれる。また、防水シート２１の上縁部がこれら突条７１〜７３の隙間を縫うようにして突条７１〜７３の噛み合いに巻き込まれる。
【００８４】
〔変形例７〕
変形例７では、図１６に示すように、変形例６の変更箇所と変形例５の変更箇所を組み合わせて適用する。この場合、シート押え材５０の横押え部５４が横押え部５３と同様にその中央部において二つに分割され、横押え部５４が横押え部分割体５４ａ，５４ｂからなる。
なお、変形例６の変更箇所と変形例４の変更箇所を組み合わせて適用してもよい。
【００８５】
〔変形例８〕
変形例６の場合と同様に、図１７に示すようにシート受け材４０及びシート押え材５０が矩形枠状に設けられている。その上で、シート押え材５０が上下に分割されている。つまり、縦押え部５１，５２がその中央部において二つに分割されており、縦押え部５１が縦押え部分割体５１ａ，５１ｂからなり、縦押え部５２が縦押え部分割体５２ａ，５２ｂからなる。そして、横押え部５４がヒンジによって横受け部４４又は開口部２の上部に連結され、そのヒンジの軸が上下に延在する。従って、下側のＵ字型分割体がその下端を軸として前後に傾動可能であり、上側のＵ字型分割体がその上端を軸として前後に傾動可能である。
【００８６】
〔変形例９〕
上記実施の形態では、防水装置１０が組み立てられた状態では、留め具２３，２４がシート受け材４０とシート押え材５０の間に挟まれる。
それに対して、図１８に示すように、留め具２３，２４がシート受け材４０とシート押え材５０の間に挟まれない。ここで、引掛部８１が縦押え部５１の上端よりも上の位置において縦受け部４１の前面の上部に突出した状態に設けられ、引掛部８２が縦押え部５２の上端よりも上の位置において縦受け部４２の前面の上部に突出した状態に設けられ、シート押え材５０がシート受け材４０に突き合わせられた状態では引掛部８１，８２がシート押え材５０の背後に隠れない。
【００８７】
〔変形例１０〕
突条７１〜７３を省略する。防水面材２０がシート挟持装置３０に取り付けられていない場合、シート押え材５０の後面がシート受け材４０の前面に直接接触し、防水面材２０がシート挟持装置３０に取り付けられている場合、防水シート２１の周縁部がシート押え材５０の後面とシート受け材４０の前面との間に直接挟み込まれる。
【００８８】
〔変形例１１〕
上述実施の形態では、縦受け部４１，４２が側部３，４の屋外側の面にそれぞれ取り付けられていた。
それに対して、変形例１１では、縦受け部４１，４２が側部３，４の屋内側の面にそれぞれ取り付けられている。この場合、シート押え材５０が前に倒伏するとは、シート押え材５０が室内側へ倒伏することであり、シート押え材５０が後ろに起立するとは、シート押え材５０が室外側へ起立することである。また、この場合、開口部２に設けられる開閉材が防水シート２１よりも屋外側に位置するので、浸水時でも開閉材を開閉できるように、開閉材が外開きドアであることが好ましい。そうすれば、浸水時に開閉材を開いて、防水シート２１を乗り越えて開口部２を通行することができる。
なお、変形例１１と変形例２を組み合わせて適用した場合、図９及び図１０に示す床（又は地面）１１５が屋外側の床（又は地面）であり、床１０５が屋内側の床である。更に、屋外側の床（又は地面）１１５が開口部２の底面５と面一であってもよいし（図９及び図１０参照）、その床（又は地面）１１５が底面５よりも低い位置に設けられてもよいし、その床（又は地面）１１５が床１０５よりも低い位置に設けられてもよい。
【００８９】
〔変形例１２〕
上述の実施の形態では、横受け部４３が凹部６に収納されていた。
それに対して、凹部６が形成されておらず、横受け部４３が床の上に敷設されている。これは、縦受け部４１，４２が側部３，４の屋内側の面にそれぞれ取り付けられている場合でも同様である。
【００９０】
〔変形例１３〕
上記の実施の形態では、開口部２が矩形状であった。
それに対して、変形例１３では、開口部２が矩形以外の形状である。例えば、開口部２が円形、横長長円形又は縦長長円形である場合、シート受け材４０が湾曲しており、シート受け材４０が開口部２の少なくとも下から横にかけて開口部２の縁に沿って設けられている。シート受け材４０の前に突き当てられるシート押え材５０もシート受け材４０が開口部２の少なくとも下から横にかけて開口部２の縁に沿うように湾曲する。
【符号の説明】
【００９１】
１  建造物
２  開口部
１０  防水装置
２０  防水面材
２１  防水シート
２９  膨出部
３０  シート挟持装置
４０  シート受け材
４１  左の縦受け部
４２  右の縦受け部
４３  横受け部
４４  第二横受け部
５０  シート押え材
５１  左の縦押え部
５２  右の縦押え部
５３  横押え部
５３ａ，５３ｂ  横押え部分割体
５４  第二横押え部
５４ａ，５４ｂ  横押え部分割体
６５  締結具（固定具）
７１，７２  突条（第一突条）
７３  突条（第二突条）
【図１】
0005914723.tif 000002
【図２】
0005914723.tif 000003
【図３】
0005914723.tif 000004
【図４】
0005914723.tif 000005
【図５】
0005914723.tif 000006
【図６】
0005914723.tif 000007
【図７】
0005914723.tif 000008
【図８】
0005914723.tif 000009
【図９】
0005914723.tif 000010
【図１０】
0005914723.tif 000011
【図１１】
0005914723.tif 000012
【図１２】
0005914723.tif 000013
【図１３】
0005914723.tif 000014
【図１４】
0005914723.tif 000015
【図１５】
0005914723.tif 000016
【図１６】
0005914723.tif 000017
【図１７】
0005914723.tif 000018
【図１８】
0005914723.tif 000019